(57)【要約】【課題】各種機能毎の設定情報を多様化させた表示形態にて表示することにより、各種機能毎の設定状況を容易、かつ的確に認識する。【解決手段】フロントパネル５０は、電源スイッチ４１及び前記スロット部３２の他に、設定部５２を有しており、この設定部５２において、信号処理装置４での設定情報を、機能毎に、複数表示することができる。４つの機能の設定情報を表示する４つの機能別表示エリア５１からなる設定部５２を備えたフロントパネルの例を示している。機能別表示エリア５１は、設定値を、多様化された表示形態にて表示可能であり、設定値を変更するための変更ボタン部５３を有している。【選択図】図３
2009072369.tif 000002
【特許請求の範囲】
【請求項１】
複数の機能の設定値を指定し、前記設定値に基づき、前記複数の機能を制御する機能制御手段と、
前記設定値を前記複数の機能毎に表示する表示手段と、
前記表示手段に表示する前記設定値の第１の表示形態と、前記表示手段に表示する前記設定値の第２の表示形態と、の少なくとも一方の表示形態を、前記複数の機能毎に選択する表示形態選択手段と、
前記表示形態選択手段にて選択された前記表示形態により、前記表示手段における前記設定値の表示を制御する表示制御手段と
を備えたことを特徴とする内視鏡システム。
【請求項２】
前記機能制御手段に対して、前記設定値の変更を指示する変更指示手段をさらに備え、
表示形態選択手段は、前記変更指示手段の変更指示に基づいて、前記第１の表示形態と前記第２の表示形態と、の少なくとも一方の表示形態を、前記複数の機能毎に選択する
ことを特徴とする請求項１に記載の内視鏡システム。
【請求項３】
前記変更指示手段は、前記設定値を所定の変化量単位にて変更することを指示する
ことを特徴とする請求項２に記載の内視鏡システム。
【請求項４】
前記所定の変化量を可変して設定する変化量設定手段をさらに備えた
ことを特徴とする請求項３に記載の内視鏡システム。
【請求項５】
表示手段は、前記所定の変化量を表示する
ことを特徴とする請求項３または４に記載の内視鏡システム。
【請求項６】
前記第１の表示形態は数値による表示形態であり、前記第２の表示形態は図形による表示形態である
ことを特徴とする請求項１ないし５のいずれか１つに記載の内視鏡システム。
【請求項７】
前記表示形態選択手段は、外部機器から送信される識別情報に基づき、前記第１の表示形態と前記第２の表示形態と、の少なくとも一方の表示形態を、前記複数の機能毎に選択する
ことを特徴とする請求項１ないし６のいずれか１つに記載の内視鏡システム。
【請求項８】
前記機能制御手段は、前記識別情報に基づき、前記複数の機能の前記設定値を指定する
ことを特徴とする請求項７に記載の内視鏡システム。
【請求項９】
前記機能制御手段は、前記識別情報に応じて、前記設定値のデフォルト値を変更して指定する
ことを特徴とする請求項７または８に記載の内視鏡システム。
【請求項１０】
前記機能制御手段は、前記識別情報に応じて、前記設定値の変更可能な範囲を可変する
ことを特徴とする請求項７ないし９のいずれか１つに記載の内視鏡システム。
【請求項１１】
前記機能設定手段は、前記識別情報に応じて、前記設定値の上限値、下限値、中央値の少なくとも１つを変更する
ことを特徴とする請求項７ないし１０のいずれか１つに記載の内視鏡システム。
【発明の詳細な説明】
【技術分野】
【０００１】
本発明は、内視鏡の複数の機能毎の設定状況を表示し、機能毎に制御を行う内視鏡システムに関する。
【背景技術】
【０００２】
医療用分野において、内視鏡を用いて診断あるいは治療処置を行う場合、使用に必要となる内視鏡、光源装置等をラック等にまとめて内視鏡システムを構成したり、これらの装置を搭載したラックを組み合わせるなどして、診断等を行うことが一般的である。
【０００３】
また、例えば特開２００１−２５４５５号公報等においては、複数の装置を１つの筐体内に収納し、これら複数の装置を集中制御する集中制御部と、複数の装置を集中的に操作する集中操作部とを備えた内視鏡システムが提案されている。
【０００４】
このような内視鏡システムは、内視鏡を介して被検体へ照明光を供給するための光源装置、内視鏡からの画像信号を処理する映像信号処理装置（ビデオプロセッサあるいはビデオシステムセンタ）、体腔内に送気あるいは送水を行う送気送水装置、内視鏡からの光学像を撮影する自動撮影装置、被検部位を焼灼して治療を行う焼灼装置（ヒートプローブ装置）、被検部位を切除する電気メス装置等、多様な装置があり、これらの周辺装置を目的に合わせて組み合わせて構成されている。
【０００５】
このような内視鏡システムにおいては、各周辺装置、例えば映像信号処理装置の各種設定情報（例えば、ホワイトバランス、コントラスト等）は、映像信号処理装置のフロントパネル等に表示されると共に、該フロントパネルにて設定情報の変更が可能に構成されることで、内視鏡システムによる手技を容易に実施できるようになっている。
【特許文献１】特開２００１−２５４５５号公報
【発明の開示】
【発明が解決しようとする課題】
【０００６】
しかしながら、従来の内視鏡システムにおける周辺装置での各種機能毎の設定情報は、上述したように、フロントパネル等に表示されるが、フロントパネルでの表示形態が、例えば設定値の数値表示といったように固定されているため、術者にとっては、例えば設定可能範囲のどの程度に設定値が設定されているか等がわかりづらく、フロントパネル等の表示手段での設定情報が視認しにくいといった課題がある。
【０００７】
本発明は、上記事情に鑑みてなされたものであり、各種機能毎の設定情報を多様化させた表示形態にて表示することにより、各種機能毎の設定状況を容易、かつ的確に認識することのできる内視鏡システムを提供することを目的としている。
【課題を解決するための手段】
【０００８】
本発明の内視鏡システムは、
複数の機能の設定値を指定し、前記設定値に基づき、前記複数の機能を制御する機能制御手段と、
前記設定値を前記複数の機能毎に表示する表示手段と、
前記表示手段に表示する前記設定値の第１の表示形態と、前記表示手段に表示する前記設定値の第２の表示形態と、の少なくとも一方の表示形態を、前記複数の機能毎に選択する表示形態選択手段と、
前記表示形態選択手段にて選択された前記表示形態により、前記表示手段における前記設定値の表示を制御する表示制御手段と
を備えて構成される。
【発明の効果】
【０００９】
本発明によれば、各種機能毎の設定情報を多様化させた表示形態にて表示することにより、各種機能毎の設定状況を容易、かつ的確に認識することができるという効果がある。
【発明を実施するための最良の形態】
【００１０】
以下、図面を参照しながら本発明の実施例について述べる。
【実施例１】
【００１１】
図１ないし図１２は本発明の実施例１に係わり、図１は内視鏡システムの構成を示す構成図、図２は図１の信号処理装置の構成を示すブロック図、図３は図２のフロントパネルの構成を示す構成図、図４は図１のモニタ上に展開されるシステム設定画面の表示例を示す第１の図、図５は図１のモニタ上に展開されるシステム設定画面の表示例を示す第２の図、図６は図２のＣＰＵの作用を説明するフローチャート、図７は図６の処理により実行されるフロントパネルの設定表示例を示す図、図８は図６の処理により実行されるモニタの内視鏡画像に重畳される設定表示例を示す図、図９は図７のフロントパネルの設定表示例の第１の変形例を示す図、図１０は図８のモニタの内視鏡画像に重畳される設定表示例例の第１の変形例を示す図、図１１は図７のフロントパネルの設定表示例の第２の変形例を示す図、図１２は図８のモニタの内視鏡画像に重畳される設定表示例の例第２の変形例を示す図である。
【００１２】
（構成）
図１に示すように、本実施例の内視鏡システム１は、体腔内に挿入され体腔内観察部位を撮像する内視鏡２と、この内視鏡２に照明光を供給する光源装置１０と、内視鏡２からの撮像信号を信号処理してモニタ３に内視鏡画像を表示させる信号処理装置４と、送気送水を行う送気送水ポンプ５と、を備え、これら装置をラック６に搭載して構成される。
【００１３】
前記信号処理装置４は、キーボード７及びＩＤリード装置８が接続可能に構成されている。そして、前記信号処理装置４は、モニタ３に設定画面等を表示し、前記キーボード７を用いて、搭載されている各装置の設定情報や、患者情報、術者情報あるいは手技情報等を入力することができるようになっている。また、前記信号処理装置４は、ＩＤリード装置８により、例えば手技を実施する術者のＩＤをＩＤ  ＣＡＲＤ（磁気カードあるいはＩＣカード）等の認証用カード９から読み出すことができる。
【００１４】
図２に示すように、信号処理装置４は、光源装置１０より照明光が供給されている内視鏡２をコネクタ１１ａ、１１ｂを介して接続する。内視鏡２の先端には、体腔内観察部位を撮像するための、固体撮像素子である、例えばＣＣＤ（Ｃ−ＭＯＳセンサでもよい）１２が設けられている。
【００１５】
信号処理装置４は、アナログ映像処理部１３にて、ＣＣＤ１２を駆動し撮像信号を相関２重サンプリング、ホワイトバランス等のアナログ映像信号処理を実行する。
【００１６】
また、信号処理装置４は、アナログ映像処理部１３にて信号処理された映像信号をＡ／Ｄコンバータ１４にてデジタル信号に変換し、デジタル映像処理部１７に出力する。デジタル映像処理部１７は、入力されたデジタル化された映像信号に対して、強調処理、拡大／縮小処理等のデジタル映像信号処理を実行する。デジタル映像処理部１７にてデジタル処理された信号は、合成部１５を介してＤ／Ａコンバータ１６に出力され、アナログＴＶ信号としてモニタ３に出力される。そして、信号処理装置４は、モニタ３にＣＣＤ１２にて撮像した体腔内観察部位の内視鏡画像を表示する。
【００１７】
一方、信号処理装置４は、キーボード７及びＩＤリード装置８と情報を送受するＣＰＵ２１を備えている。このＣＰＵ２１は、ＤＳＰ２２を制御して各種制御画面を、合成部１５及びＤ／Ａコンバータ１６を介してモニタ３に表示し、キーボード７及びＩＤリード装置８からの情報をモニタ３に表示した各種制御画面に展開（表示）することができるようになっている。機能制御手段、表示形態選択手段、表示制御手段及び変更指示手段は、ＣＰＵ２１により構成される。
【００１８】
また、信号処理装置４は、患者情報等の情報入力手段としてのメモリカード３１を、着脱自在の装着できるスロット部３２を有している。そして、信号処理装置４では、ＣＰＵ２１は、スロット部３２に装着されたメモリカード３１にドライバ３３を介して各種情報を記録／再生することができる。
【００１９】
さらに、信号処理装置４は、各種情報を表示する表示手段としてのフロントパネル５０を備えている。このフロントパネル５０の構成を、図３を用いて説明する。
【００２０】
フロントパネル５０は、図３に示すように、電源スイッチ４１及び前記スロット部３２の他に、設定部５２を有しており、この設定部５２において、信号処理装置４での設定情報を、機能毎に、複数表示することができる。
【００２１】
図３においては、４つの機能（機能Ａ、機能Ｂ、機能Ｃ、機能Ｄ）の設定情報を表示する４つの機能別表示エリア５１からなる設定部５２を備えたフロントパネルの例を示している。
【００２２】
この機能別表示エリア５１は、設定値を、多様化された表示形態にて表示可能であり、設定値を変更するための変更ボタン部５３を有している。なお、機能別表示エリア５１における多様化された表示形態については、後述する。
【００２３】
（作用）
次に、このように構成された本実施例の作用について、図４ないし図８を用いて説明する。
【００２４】
信号処理装置４の電源スイッチ４１がＯＮされると、ＣＰＵ２１は、信号処理装置４の各部を設定するための、図４に示すようなシステム設定画面１００をモニタ３に表示する。
【００２５】
このシステム設定画面１００において、例えばキーボード７により表示設定アイコン１０１が選択されると、表示設定表示ウインドウ１０２がシステム設定画面１００上に展開される。この表示設定表示ウインドウ１０２は、フロントパネル５０の機能別表示エリア５１における表示形態を設定する表示ウインドウであり、表示形態として、
（１）  （第１の表示形態としての）数値表示のみ
（２）  （第２の表示形態としての）バー表示（図形表示）のみ
（３）  数値表示とバー表示（図形表示）の併用
が選択的に設定可能となっている。
【００２６】
以下、表示設定表示ウインドウ１０２にて設定された上記表示形態の（１）、（２）及び（３）の各情報を表示形態情報と記す。
【００２７】
また、このシステム設定画面１００において、例えばキーボード７により設定値変更Ｓｔｅｐアイコン１０３が選択されると、図５に示すように、設定値変更Ｓｔｅｐウインドウ１０４がシステム設定画面１００上に展開される。この設定値変更Ｓｔｅｐウインドウ１０４は、例えば設定部５２の機能毎の、機能別表示エリア５１の変更ボタン部５３の操作による設定値の変更Ｓｔｅｐ（１回の操作にて変更される設定値のステップ数）を指定するウインドウである。
【００２８】
そして、このようにしてシステム設定画面１００において表示形態情報及び変更Ｓｔｅｐが設定されると、ＣＰＵ２１は図６に示すような、例えばフロントパネル５０における、多様化された表示形態を実現する表示形態設定処理を実行する。
【００２９】
すなわち、フロントパネル５０における表示形態設定処理では、図６に示すように、信号処理装置４のＣＰＵ２１は、ステップＳ１にてフロントパネル５０の設定部５２の変更ボタン部５３が操作されたかどうか判断する。そして、ＣＰＵ２１は、設定部５２の変更ボタン部５３が操作されたと判断すると、ステップＳ２にてデフォルト値（Ｖｃ）に対して操作されたステップ数（Ｓｔｅｐ＝変更Ｓｔｅｐ）を加えた値を新たな設定値（Ｖｎｅｗ）とする（Ｖｎｅｗ＝Ｖｃ＋Ｓｔｅｐ）。
【００３０】
そして、ＣＰＵ２１は、ステップＳ３にて機能別表示エリア５１における表示形態の表示設定（表示形態情報）が数値表示かどうか判断する（なお、例えば本実施例のデフォルト状態では、表示設定は数値表示に設定されている）。ＣＰＵ２１は、表示形態の表示設定（表示形態情報）が数値表示と判断すると、ステップＳ４にて新たな設定値（Ｖｎｅｗ）を機能別表示エリア５１に数値表示して、ステップＳ１に戻る。
【００３１】
また、ＣＰＵ２１は、表示形態の表示設定が数値表示でないと判断すると、ステップＳ５にて新たな設定値（Ｖｎｅｗ）を機能別表示エリア５１に図形表示として、バー表示する。さらに、ＣＰＵ２１は、ステップＳ６にて機能別表示エリア５１における表示形態の表示設定（表示形態情報）が数値表示＋バー表示（図形表示）かどうか判断する。
【００３２】
そして、ＣＰＵ２１は、機能別表示エリア５１における表示形態の表示設定（表示形態情報）が数値表示＋バー表示（図形表示）の場合にはステップＳ４に進み、ステップＳ４にて数値表示に加えバー表示（図形表示）する。一方、機能別表示エリア５１における表示形態の表示設定（表示形態情報）が数値表示＋バー表示（図形表示）でない場合には、ＣＰＵ２１での処理はステップＳ１に戻る。
【００３３】
このようにしてＣＰＵ２１がフロントパネル５０における表示処理を実行することで、フロントパネル５０では、図７に示すような、多様化された表示形態にて機能毎の設定値の表示が行われる。
【００３４】
図７の例では、「機能Ａ：表示形態情報＝数値表示とバー表示（図形表示）の併用、変更Ｓｔｅｐ＝３Ｓｔｅｐ」、「機能Ｂ：表示形態情報＝数値表示とバー表示（図形表示）の併用、変更Ｓｔｅｐ＝１０Ｓｔｅｐ」、「機能Ｃ：表示形態情報＝数値表示のみ、変更Ｓｔｅｐ＝１Ｓｔｅｐ」、「機能Ｄ：表示形態情報＝バー表示（図形表示）のみ、変更Ｓｔｅｐ＝１Ｓｔｅｐ」の表示例を示している。
【００３５】
なお、ＣＰＵ２１は、図６の処理により表示形態が設定されると、図７にて説明したフロントパネル５０の表示だけでなく、例えばキーボード７の操作により、図８に示すように、ＤＳＰ２２を制御して合成部１５及びＤ／Ａコンバータ１６を介して、モニタ３に表示されている内視鏡画像２００に、機能毎の設定値表示を図７と同様の表示形態にて重畳表示することができる。
【００３６】
（効果）
このように本実施例では、表示形態設定処理により、内視鏡システムの設定値情報の表示形態を多様化させて、選択的に多様化した表示形態にて機能毎に表示することができるので、術者は見やすい表示形態を選択できるばかりでなく、機能毎に最適な形態にて設定値を表示させることが可能となり、各種機能毎の設定状況を容易、かつ的確に認識することができる。
【００３７】
なお、表示形態設定処理による多様化した表示形態は、図７の表示形態に限らず、例えば図９（フロントパネル５０の表示例）あるいは図１０（モニタ３での重畳表示例）に示すように、数値表示の場合、表示する数値のフォントサイズ（例えば分子の数値のフォントサイズと、分母の数値のフォントサイズ）を視認しやすく変更して表示してもよいし、例えば図１１（フロントパネル５０の表示例）あるいは図１２（モニタ３での重畳表示例）に示すように、表示形態情報＝数値表示のみの場合には、バー表示（図形表示）領域部分に数値表示を拡大して表示するようにしてもよい。このような数値表示を行うことで、より各種機能毎の設定状況を容易、かつ的確に認識することが可能となる。
【実施例２】
【００３８】
図１３ないし図１５は本発明の実施例２に係わり、図１３はＣＰＵの作用を説明するフローチャート、図１４は図１３の処理におけるモニタ上に展開されるシステム設定画面の表示例を示す第１の図、図１５は図１３の処理におけるモニタ上に展開されるシステム設定画面の表示例を示す第２の図である。
【００３９】
実施例２は、実施例１とほとんど同じであるので、異なる点のみ説明する。
【００４０】
上述した実施例１においては、表示形態設定処理による多様化した表示形態の情報（表示形態情報）は、術者毎にメモリカード３１に保存することができる（図２参照）。
【００４１】
そこで、本実施例は、その構成は実施例１と同じであり、ＩＤリード装置８により例えば手技を実施する術者のＩＤをＩＤ  ＣＡＲＤ等の認証用カード９から読み出した場合（図１参照）の、メモリカード３１に保存された術者別の多様化された表示形態の表示を実現する術者別表示処理を実行する。
【００４２】
具体的には、術者別表示処理では、図１３に示すように、ＣＰＵ２１は、ＩＤリード装置８により認証用カード９から術者のＩＤが読み出されると、ステップＳ２１にてメモリカード３１より術者検索を実行するかどうかの入力を待つ。例えば看護師は手技前に術者のＩＤをＩＤ  ＣＡＲＤ等の認証用カード９から読み出すことで、ＣＰＵ２１に術者のＩＤを認識させる。そして、看護師はキーボード７を用いて、この術者のＩＤに基づいてメモリカード３１より術者検索を実行するかどうかの入力を行う。
【００４３】
術者検索の実行指示が入力されると、ＣＰＵ２１は、ステップＳ２２にてメモリカード３１より術者検索を実行し、メモリカード３１に保存されている術者の表示形態情報を読み出す。
【００４４】
そして、ＣＰＵ２１は、ステップＳ２３にて、例えば看護師がキーボード７を操作して設定値の変更を実施したかどうか判断する。設定値の変更がない場合には、ステップＳ２４にて、ＣＰＵ２１は、ステップＳ２２において読み出した表示形態情報に基づいて、フロントパネル５０の表示を実行する。
【００４５】
また、ＣＰＵ２１は、ステップＳ２３において設定値の変更があると判断すると、ステップＳ２５に進み、ステップＳ２５にて実施例１の図６にて説明した表示形態設定処理を実行し、ステップＳ２６にて表示形態設定処理の完了を確認する。
【００４６】
図１４及び図１５は、メモリカード３１に保存された術者別の多様化された表示形態情報に基づく、システム設定画面１００上に展開される、表示設定表示ウインドウ１０２及び設定値変更Ｓｔｅｐウインドウ１０４を示している。図１４に示すように、表示設定表示ウインドウ１０２ではメモリカード３１から読み出す術者名の選択／入力が可能なラジオボタンを有した表示となっており、また図１５に示すように、設定値変更Ｓｔｅｐウインドウ１０４では選択された術者（ユーザＡ）の変更Ｓｔｅｐが表示される。
【００４７】
なお、本実施例では、術者のＩＤに基づいて、例えば
（１）  機能毎の設定値のデフォルト値を術者毎に可変に設定
（２）  機能毎の設定値の設定範囲を術者毎に可変に設定
（３）  機能毎の設定値の上限値、下限値、中央値のすくなくともいずれか１つを術者毎に可変に設定
の各設定制御を実施することができる。
【００４８】
なお、上記術者のＩＤに基づく（３）の機能毎の設定値の上限値、下限値を超えて設定値を変更しようとする場合は、図示しない警告手段により警告する（警告音発生、警告用ＬＥＤ点灯）ようにしてもよい。
【００４９】
（効果）
このように本実施例では、実施例１の効果に加え、術者のＩＤをＩＤリード装置８から読み出し、読み出した術者のＩＤに基づき、メモリカード３１に保存された術者別の多様化された表示形態情報を検索して、フロントパネル５０の表示形態を設定できるので、予めメモリカード３１に保存している術者の表示形態情報は、術者のＩＤをＣＰＵ２１に認識させるだけで、容易に設定することができる。
【００５０】
また、内視鏡システムにおいて、連続してシステムを使用する場合、前回使用した術者の表示形態情報が内視鏡システムに残ることになるが、引き続き同じ術者がシステムを使用する場合は、ＣＰＵ２１は術者のＩＤにより表示形態情報に変化がないことを認識することができるので、表示形態情報の再設定を行う必要がない。
【００５１】
また、前回と異なる術者がシステムを使用する場合は、ＣＰＵ２１は、術者のＩＤにより、システムに残っている表示形態情報と、これから使用しようとする術者の表示形態情報が異なることも認識できるので、例えば、表示形態情報の再設定を行うかどうかをモニタ等に表示して告知／警告することが可能となり、確実に、システムを使用する術者の表示形態情報による表示が可能となる。
【００５２】
なお、上記実施例では、術者のＩＤを、ＩＤリード装置８を用いてＩＤ  ＣＡＲＤ（磁気カードあるいはＩＣカード）等の認証用カード９より読み出すとしたが、これに限らず、例えば図１６に示すように、信号処理装置４をネットワークとしての院内ＬＡＮ３００と接続可能に構成することで、院内ＬＡＮ３００に接続されているＩＤリード装置８とは異なる端末３０１により術者のＩＤを入力するようにしてもよい。
【００５３】
また、図１７に示すように、信号処理装置４に例えば指紋照合手段等の生体情報認識装置３０２を接続し、術者の生体情報により術者のＩＤを判定するようにしてもよい。
【００５４】
さらに、図１８に示すように、ＩＤ  ＣＡＲＤ等の認証用カード９に、例えばＲＦ−ＩＤのような無線情報タグを設け、この無線情報タグを読み出すＲＦ−ＩＤリーダ機能を信号処理装置４に設けて術者のＩＤを読み出すようにしてもよい。
【００５５】
なお、上記各実施例においては、変更ボタン部５３の操作状況に応じて、表示形態を数値表示あるいはバー表示（図形表示）と、を切り替える（例えば、変更ボタン部５３の操作が「短押し操作」、「長押し操作」にて変更Ｓｔｅｐの変化量の変更が可能であり、「短押し操作」、「長押し操作」を検出することにより、術者（あるいは看護師）が大まかな値の調整をしたいのか、厳密な調整をしたいのかを、推定し、「短押し操作」時には厳密な調整をしやすいように例えば第１の表示形態である数値表示とし、「長押し操作」時には大まかな設定値の状況が直感的に認識できるよう例えば第２の表示形態であるバー表示（図形表示）を行う）ようにしてもよい。
【００５６】
また、第２の表示形態である図形表示としては、バー表示のようにバーグラフ等の数値の変化に応じて変化するような表示のみに限定されるものではなく、例えば、所定の閾値付近に設定値が到達した場合に、その旨を通知する表示を行う（例えば、警告用ＬＥＤを点灯させる、フロントパネルまたはモニタの一部にその旨を通知する表示を行う等）ようにしてもよい。
【００５７】
さらに、数値表示とバー表示（図形表示）の併用表示のための、所定の併用条件（併用表示が望ましい状況）を予め設定しておき、このような所定の併用条件が発生した場合には、設定した表示形態情報によらず、例えば強制的に数値表示とバー表示（図形表示）の併用表示に切り替えるようにしてもよい。さらに、変形例として、所定の併用条件が発生した場合には、一定時間毎に数値表示とバー表示（図形表示）を繰り返し表示するようにしてもよい。
【００５８】
本発明は、上述した実施例に限定されるものではなく、本発明の要旨を変えない範囲において、種々の変更、改変等が可能である。
【図面の簡単な説明】
【００５９】
【図１】本発明の実施例１に係る内視鏡システムの構成を示す構成図
【図２】図１の信号処理装置の構成を示すブロック図
【図３】図２のフロントパネルの構成を示す構成図
【図４】図１のモニタ上に展開されるシステム設定画面の表示例を示す第１の図
【図５】図１のモニタ上に展開されるシステム設定画面の表示例を示す第２の図
【図６】図２のＣＰＵの作用を説明するフローチャート
【図７】図６の処理により実行されるフロントパネルの設定表示例を示す図
【図８】図６の処理により実行されるモニタの内視鏡画像に重畳される設定表示例を示す図
【図９】図７のフロントパネルの設定表示例の第１の変形例を示す図
【図１０】図８のモニタの内視鏡画像に重畳される設定表示例例の第１の変形例を示す図
【図１１】図７のフロントパネルの設定表示例の第２の変形例を示す図
【図１２】図８のモニタの内視鏡画像に重畳される設定表示例の例第２の変形例を示す図
【図１３】本発明の実施例２に係るＣＰＵの作用を説明するフローチャート
【図１４】図１３の処理におけるモニタ上に展開されるシステム設定画面の表示例を示す第１の図
【図１５】図１３の処理におけるモニタ上に展開されるシステム設定画面の表示例を示す第２の図
【図１６】図１の内視鏡システムの第１の変形例の構成を示す構成図
【図１７】図１の内視鏡システムの第２の変形例の構成を示す構成図
【図１８】図１の内視鏡システムの第３の変形例の構成を示す構成図
【符号の説明】
【００６０】
１…内視鏡システム
２…内視鏡
３…モニタ
４…信号処理装置
７…キーボード
８…ＩＤリード装置
９…認証用カード
１２…ＣＣＤ
１３…アナログ映像処理部
１４…Ａ／Ｄコンバータ
１５…合成部
１６…Ｄ／Ａコンバータ
１７…デジタル映像処理部
２１…ＣＰＵ
２２…ＤＳＰ
３１…メモリカード
３２…スロット部
３３…ドライバ
４１…電源スイッチ
５０…フロントパネル
５１…機能別表示エリア
５２…設定部
５３…変更ボタン部
【図１】
2009072369.tif 000003
【図２】
2009072369.tif 000004
【図３】
2009072369.tif 000005
【図４】
2009072369.tif 000006
【図５】
2009072369.tif 000007
【図６】
2009072369.tif 000008
【図７】
2009072369.tif 000009
【図８】
2009072369.tif 000010
【図９】
2009072369.tif 000011
【図１０】
2009072369.tif 000012
【図１１】
2009072369.tif 000013
【図１２】
2009072369.tif 000014
【図１３】
2009072369.tif 000015
【図１４】
2009072369.tif 000016
【図１５】
2009072369.tif 000017
【図１６】
2009072369.tif 000018
【図１７】
2009072369.tif 000019
【図１８】
2009072369.tif 000020